【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
携帯機器と、認証システムと、携帯機器が発信する信号の受信に応じてサービスの提供を制御可能な制御装置とを含むシステムであって、
前記携帯機器は、
前記認証システムから、前記携帯機器に設定される認証情報を用いて行われた認証に応じた応答を受信する受信手段と、
前記受信した応答に従い、無線通信を利用して所定の頻度または周期で信号を発信する機能の開始を制御する制御手段と、を有し、
前記制御手段は、所定の条件に従い、前記開始された機能の停止を制御し、
前記制御装置では、前記制御手段による前記機能の開始に応じて前記携帯機器から発信される信号を受信した場合に、当該信号の内容に対応するサービスを提供することを特徴とするシステム。
【請求項２】
携帯機器と、認証システムと、携帯機器が発信する信号の受信に応じてサービスの提供を制御可能な制御装置とを含むシステムにおける制御方法であって、
前記携帯機器は、
前記認証システムから、前記携帯機器に設定される認証情報を用いて行われた認証に応じた応答を受信する受信工程と、
前記受信した応答に従い、無線通信を利用して所定の頻度または周期で信号を発信する機能の開始を制御する制御工程と、を有し、
前記開始された機能は、所定の条件に従い停止され、
前記制御装置では、前記機能の開始に応じて前記携帯機器から発信される信号を受信した場合に、当該信号の内容に対応するサービスを提供することを特徴とする制御方法。
【請求項３】
外部の認証システムと認証のための通信を行う携帯機器であって、
前記認証システムから、前記携帯機器に設定される認証情報を用いて行われた認証に応じた応答を受信する受信手段と、
前記受信した応答に従い、無線通信を利用して所定の頻度または周期で信号を発信する機能の開始を制御する制御手段と、を有し、
前記制御手段は、所定の条件に従い、前記開始された機能の停止を制御することを特徴とする携帯機器。
【請求項４】
前記制御手段は、前記認証システムから前記機能の停止のための要求を受信した場合には、前記所定の条件を満たすものとして、前記開始された機能を停止することを特徴とする請求項３に記載の携帯機器。
【請求項５】
前記制御手段は、前記機能が開始された後に指定時間が経過した場合、前記所定の条件を満たすものとして、当該機能を停止することを特徴とする請求項３または４に記載の携帯機器。
【請求項６】
前記指定時間は、前記認証システムから指定されることを特徴とする請求項５に記載の携帯機器。
【請求項７】
前記制御手段は、前記認証システムからの前記応答の内容に応じて、前記機能を利用して発信する信号の内容を変更することを特徴とする請求項３乃至６のいずれか１項に記載の携帯機器。
【請求項８】
前記制御手段は、前記認証システムからの前記応答の内容に応じて選択される前記携帯機器で管理される情報に基づく内容の信号を、前記機能を利用して発信することを特徴とする請求項３乃至７のいずれか１項に記載の携帯機器。
【請求項９】
外部の認証システムと認証のための通信を行う携帯機器であって、
前記認証システムから、前記携帯機器に設定される認証情報を用いて行われた認証に応じた応答を受信する受信手段と、
無線通信を利用して所定の頻度または周期で信号を発信する機能を用いて、前記受信した応答の内容に従う内容を含む信号を発信するよう制御する制御手段と、を有することを特徴とする携帯機器。
【請求項１０】
前記機能を利用して発信される信号には、携帯機器または携帯機器のユーザーを特定するための識別情報が含まれることを特徴とする請求項３乃至９のいずれか１項に記載の携帯機器。
【請求項１１】
前記携帯機器が所定の範囲外に移動したことが検知された場合には、前記識別情報により特定された携帯機器または携帯機器のユーザーに対応する宛先に対して警告通知が行われることを特徴とする請求項３乃至１０のいずれか１項に記載の携帯機器。
【請求項１２】
前記機能は、無線通信として、Ｂｌｕｅｔｏｏｔｈ（登録商標）  Ｌｏｗ  Ｅｎｅｒｇｙを利用することを特徴とする請求項３乃至１１のいずれか１項に記載の携帯機器。
【請求項１３】
前記携帯機器は、電話機能付き端末、眼鏡型情報機器、腕時計型情報機器、カーナビゲーションシステム、及びロボットの少なくともいずれかを含むことを特徴とする請求項３乃至１２のいずれか１項に記載の携帯機器。
【請求項１４】
前記機能の開始に応じて前記携帯機器から発信される信号は、ＵＵＩＤと、メジャー番号と、マイナー番号とを含むことを特徴とする請求項３乃至１３のいずれか１項に記載の携帯機器。
【請求項１５】
外部の認証システムと認証のための通信を行う携帯機器における制御方法であって、
前記認証システムから、前記携帯機器に設定される認証情報を用いて行われた認証に応じた応答を受信する受信工程と、
前記受信した応答に従い、無線通信を利用して所定の頻度または周期で信号を発信する機能の開始を制御する制御工程と、を有し、
前記開始された機能は、所定の条件に従い停止されることを特徴とする制御方法。
【請求項１６】
前記機能は、無線通信として、Ｂｌｕｅｔｏｏｔｈ（登録商標）  Ｌｏｗ  Ｅｎｅｒｇｙを利用することを特徴とする請求項１５に記載の制御方法。
【請求項１７】
外部の認証システムと認証のための通信を行う携帯機器における制御方法であって、
前記認証システムから、前記携帯機器に設定される認証情報を用いて行われた認証に応じた応答を受信する受信工程と、
無線通信を利用して所定の頻度または周期で信号を発信する機能を用いて、前記受信した応答の内容に従う内容を含む信号を発信するよう制御する制御工程と、を有することを特徴とする制御方法。
【請求項１８】
請求項３乃至１４の何れか１項に記載の手段としてコンピュータを機能させるためのプログラム。
【請求項１９】
携帯機器と、認証システムと、携帯機器が発信する信号の受信に応じてサービスの提供を制御可能な制御装置とを含むシステムであって、
前記携帯機器は、
前記認証システムから、前記携帯機器に設定される認証情報を用いて行われた認証に応じた応答を受信する受信手段と、
無線通信を利用して所定の頻度または周期で信号を発信する機能を用いて、前記受信した応答の内容に従う内容を含む信号を発信するよう制御する制御手段と、を有し、
前記制御装置では、前記携帯機器から前記機能を用いて発信される信号を受信した場合に、当該信号の内容に対応するサービスを提供することを特徴とするシステム。
【請求項２０】
携帯機器と、認証システムと、携帯機器が発信する信号の受信に応じてサービスの提供を制御可能な制御装置とを含むシステムにおける制御方法であって、
前記携帯機器は、
前記認証システムから、前記携帯機器に設定される認証情報を用いて行われた認証に応じた応答を受信する受信工程と、
無線通信を利用して所定の頻度または周期で信号を発信する機能を用いて、前記受信した応答の内容に従う内容を含む信号を発信するよう制御する制御工程と、を有し、
前記制御装置では、前記携帯機器から前記機能を用いて発信される信号を受信した場合に、当該信号の内容に対応するサービスを提供することを特徴とする制御方法。
【手続補正２】
【補正対象書類名】明細書
【補正対象項目名】０００９
【補正方法】変更
【補正の内容】
【０００９】
上記課題を解決するために、本発明における携帯機器は、外部の認証システムと認証のための通信を行う携帯機器であって、前記認証システムから、前記携帯機器に設定される認証情報を用いて行われた認証に応じた応答を受信する受信手段と、前記受信した応答に従い、無線通信を利用して所定の頻度または周期で信号を発信する機能の開始を制御する制御手段と、を有し、前記制御手段は、所定の条件に従い、前記開始された機能の停止を制御することを特徴とする。